(57)【要約】【課題】電車や自動車の車内等による振動環境下や定規を持たない環境下においても直線筆記性能が優れたマーキングペンを提供する【解決手段】繊維芯又はプラスチック芯又は焼結芯からなる線幅２ｍｍ以上のペン芯４を有するキャップ式のマーキングペンにおいて、キャップ２内に収納できる弾性体で構成されているローラー５がペン芯４の近傍に取り付けられ、ペン芯４とローラー５の接線Ｘ３がペン軸１の中心線Ｘ４となす角度θが３０゜〜８０゜であるマーキングペン。【選択図】図５
2010247349.tif 000002
【特許請求の範囲】
【請求項１】
ペン軸と、ペン軸の先端に繊維芯又はプラスチック芯又は焼結芯からなるペン芯を有するペン先と、ペン先の外周を覆ったキャップが取り付けられたマーキングペンにおいて、ペン先近傍にキャップ内に収納できるローラーが取り付けられているマーキングペン。
【請求項２】
前記ペン芯はチゼル形状に形成され、ペン芯端部の稜線とローラーの中心線とが略平行である請求項１記載のマーキングペン。
【請求項３】
前記ローラーは弾性体で形成されている請求項２記載のマーキングペン。
【請求項４】
前記ペン芯と前記ローラーの接線がペン軸の中心線に対して３０゜〜８０゜傾斜している請求項３記載のマーキングペン。
【請求項５】
ペン芯の幅が２ｍｍ以上である請求項４記載のマーキングペン。
【発明の詳細な説明】
【技術分野】
【０００１】
本発明は、マーキングペンに関する。
【背景技術】
【０００２】
従来より、繊維芯又はプラスチック芯又は焼結芯からなるペン芯にインクを浸透させて直線筆記ができるマーキングペンが多数出願されている。（特許文献１）
しかしながら、特に蛍光ラインマーカーは直線にタイプされた文字上にマークする筆記具でありながら文字上に沿った直線を引くことは容易ではない。一般的な対策として、定規を用い、定規に沿って筆記すれば、直線の描線を得るのは容易であるが、マーカーと一体部品で無いため携帯を忘れる恐れがある。そのような場合、特に電車、自動車内等の走行中の環境下においてマークする場合、車内に伝わる振動により更に直線を引くことが困難になる。
上記課題の解決においては、様々な文献が開示されている。しかし、筆記部近傍に回転自在にした車輪を取り付けているが、機構が複雑であり携帯性に劣っているもの（特許文献２）、塗布部自体がローラーであり直線性が従来品より向上しているものの、筆記中はローラーが回転しているため、ローラーへのインク供給に難点があるもの（特許文献３、特許文献４）、塗布部近傍のキャップが姿勢制御の機能を持っており安定した位置で塗布することが可能であるが、筆記時の移動をガイドする回転体が無いため直線描画性に欠ける（特許文献５）という問題点がある。
【先行技術文献】
【特許文献】
【０００３】
【特許文献１】特開２０００−５２６８２
【特許文献２】特公昭５７−５１９７
【特許文献３】特開平６−３１２５９７
【特許文献４】特許第３３１０４５６号
【特許文献５】実用新案第３０３２７５２号
【発明の概要】
【発明が解決しようとする課題】
【０００４】
そこで、本発明は、上記従来技術の課題等に鑑み、これを解消しようとするものであり、定規が無い環境や振動環境下においても直線筆記性能に優れたマーキングペンを提供することを目的とする。
【課題を解決するための手段】
【０００５】
本発明者らは、上記従来技術の課題等について鋭意検討を重ねた結果、本発明を完成するに至ったのである。すなわち、本発明は、次の（１）〜（５）に該当する。
（１）ペン軸と、ペン軸の先端に繊維芯又はプラスチック芯又は焼結芯からなるペン芯を有するペン先と、ペン先の外周を覆ったキャップが取り付けられたマーキングペンにおいて、ペン先近傍にキャップ内に収納できるローラーが取り付けられているマーキングペン。
（２）前記ペン芯はチゼル形状に形成され、ペン芯端部の稜線とローラーの中心線とが平行である（１）記載のマーキングペン。
（３）前記ローラーは弾性体で形成されている（２）記載のマーキングペン。
（４）前記ペン芯と前記ローラーの接線がペン軸の中心線に対して３０゜〜８０゜傾斜している（３）記載のマーキングペン。
（５）ペン芯の幅が２ｍｍ以上である（４）記載のマーキングペン。
【発明の効果】
【０００６】
本発明によると、次のような効果が奏せられる。
（１）記載の発明によれば、ローラーが筆記におけるガイドの役割を果たすため、定規がなくとも綺麗な直線を引くことができる。
（２）記載の発明によれば、ペン芯の先端がガイドの役割を果たすため、より定規がなくても綺麗な直線を引くことができる。
（３）記載の発明によれば、ローラーに弾性体を用いることにより、ローラーが振動を吸収するので、振動下においても安定した直線を筆記することができる。
（４）記載の発明によれば、ローラーの取り付けをペン芯に対して斜めにすることで、実際に筆記する角度に対応することができる。
（５）記載の発明によれば、ペン芯の先端を幅広くすることで、より安定した直線を筆記することができる。
以上の本発明により、定規がない環境や振動下の環境に対しても従来の技術に比べ、より綺麗な直線を引くことができる。
【図面の簡単な説明】
【０００７】
【図１】本発明の全体図である。
【図２】本発明のキャップを外した製品の全体図である。
【図３】本発明のペン先部分の正面拡大図である。
【図４】本発明のペン先部分の下からの拡大図である。
【図５】本発明の筆記状態のペン先部分の拡大図である。
【図６】本発明のペン先の部品図である。
【図７】本発明の先軸の部品図である。
【図８】定規を用いず筆記した本発明品の描線状態である。
【図９】定規を用いず筆記した従来品の描線状態である。
【発明を実施するための形態】
【０００８】
次に、本発明の実施形態について、図面を参照して説明する。
本出願において、筆記するペン先側の方向を「前方」、その逆側の方向を「後方」としている。
【０００９】
本発明の実施形態を筆記具として組み上げたときの組立図を図１に示す。
図１は、本発明の全体の構成図である。
ペン軸１にキャップ２を嵌合させてペン先の乾燥を防止するごく一般的のキャップ式のマーキングペンである。ペン軸１の内部にはインクが収容されている。インクは、従来から用いられる筆記が可能なインクであれば、特に拘らない。
【００１０】
次に、図１のマーキングペンにキャップを外した図２について説明する。
図２（ａ）は図２（ｃ）の左側面図、図２（ｂ）は平面図、図２（ｃ）は正面図、図２（ｄ）は図２（ｃ）の下からの図である。
ペン軸１の前方はペン先が嵌合されている。ペン先とは先軸３と先軸３に取り付けられたペン芯４とローラー５が該当する。
【００１１】
図３は、図２（ｃ）においてのペン先の拡大図、図４は、図２（ｄ）においてのペン先の拡大図である。
先軸３はペン軸１に嵌合している。ペン芯４は、筆記部を先軸３の前方から突出した状態で先軸３に挿入し圧入により固定させている。ローラー５は、先軸３の傾斜面３２に形成された略半円状の板である取付部３１に形成された穴に主軸５１を取り付け、ローラー５を回転可能にしている。
ローラーの数は本発明の実施形態では２つが望ましいが、特に制限はない。
図４に示す通りペン芯４の端部の稜線Ｘ１とローラー５の中心線Ｘ２は略平行に構成されている。安定した直線を筆記するためには略平行にすることが望ましい。ここでいう略平行とは、傾き±１０°をいう。それ以上に傾けて構成させると筆記時においてローラーの面全体が紙面に接触できず、安定した直線を得ることが困難である。
またローラーの取付位置は、ペン先近傍であり、筆記に支障の無い箇所であれば特に拘らないが、ペン芯端部の稜線Ｘ１とローラーの中心線Ｘ２との距離Ｄ＝２ｍｍ〜５ｍｍ後方に取り付けられると快適な筆記操作が可能である。
【００１２】
図５は、本発明品を紙面に筆記している状態図である。
筆記時において、安定した筆記描線を得るには、ペン芯４の端部の稜線Ｘ１とローラー５を紙面に接触させることが望ましい。その稜線Ｘ１とローラー５が紙面に接する線Ｘ３とペン軸１の中心線Ｘ４とのなす筆記角度θは３０゜〜８０゜が望ましい。３０゜未満だと筆記してもインクが十分に紙面に伝わらないからである。また８０゜以上の場合は、ローラー５が紙面と接触しないため、従来のマーキングペンと同じ通常筆記や文字書きが可能である。そのため従来と同じ筆記を得ることもできるように、ローラー５の取付位置は筆記角度θが３０゜〜８０゜になるように配置する。
【００１３】
図６は、ペン先の部品図である。図６（ａ）は図６（ｃ）の左側面図、図６（ｂ）は平面図、図６（ｃ）は正面図、図６（ｄ）は図６（ｃ）の下からの図である。
先軸３の後方からペン芯４が突出しているが、これはペン先をペン軸１に嵌合した際にペン芯４がインクと接触し、毛細管現象によりインクを供給させるためである。
ペン先の各構成部品について説明する。
継手３はペン芯４とローラー５を取り付けてペン先を構成した後、ペン軸１に嵌合させるための部品である。材質は、ポリプロピレン、ＡＢＳ、ポリアセタール等、ごく一般的な熱可塑性樹脂にて形成される。
ペン芯４の材質は、インクが十分に供給できるように繊維又はプラスチック芯又は焼結芯で形成されており、ごく一般に用いられるマーキングペン先の材料である。ペン芯の先端形状はチゼル状で形成されている。チゼル形状とは、先端がペン軸３の中心線に対して傾斜面を形成しており、傾斜面が平坦である形状である。傾斜面における平坦部の幅が筆記する線幅となり、その幅は２ｍｍ以上が望ましい。２ｍｍ未満のペン芯４の幅は直線筆記の安定を欠くため望ましくない。
ローラー５について説明する。ローラー５は主軸５１に取り付けられている。主軸５１は中央部がくびれた形状になっており、くびれた部分は継手３の取付部３１に嵌合できるようになっている。主軸５１が回転可能であるとローラー５も回転可能となる。ローラー５の主軸５１への取り付け方法は接着、接合、圧入等、主軸５１から容易に外れなければ特に指定しない。ローラー５の材質はローラーが回れば特に拘らないが、望むべくは、振動を吸収する材料である樹脂、エラストマー、等の弾性体が望ましい。ローラー５の大きさは、従来からの市場に多く存在する筆記具に用いられる大きさのキャップ２が収納する範囲であり、直径２ｍｍ〜５ｍｍ程度が望ましい。
【００１４】
図７は、先軸３の部品図である。
図７（ａ）は図７（ｃ）の左側面図、図７（ｂ）は平面図、図７（ｃ）は正面図、図７（ｄ）は図７（ｃ）の下からの図、図７（ｅ）は図７（ｃ）の右側面図、図７（ｆ）は図７（ｃ）の背面図である。
先軸３には、円筒形の外形から切り落とした形状である傾斜面３２を形成し、傾斜面３２の平面とは垂直に略半円状の板である取付部３１を形成し、更に取付部３１の前方に主軸取付口３３を形成している。主軸取付口３３は正面から見て円形に形成され、ローラー５と一体となった主軸５１のくびれた部分が嵌合し回転可能となっている。先軸３前方から後方にかけて四角形状の穴が形成されており、その穴にペン芯４が係合可能となっている。先軸３の外形はペン軸１に取り付けても容易に外れないようにペン軸１の先軸取付部の内径よりも若干大きく形成する。
【実施例】
【００１５】
本発明品と従来品との描線の比較を図８と図９に示す。電車内において、同一人物により、下敷きの上に紙を敷き定規を使用しないで直線を筆記した。図の中の太字３本の線がマーキングペンで筆記した描線である。図の通り本発明品を用いて筆記した直線は、ローラーを紙面に押し付けて筆記することができるため、振動等の外的要因があった環境下でも綺麗な直線を得ることができる。従来品を用いて筆記した直線は、筆記中にガイドする機能を持たないため、歪んだ直線になり、本発明品のような綺麗な直線を得ることができない。
【産業上の利用可能性】
【００１６】
以上により、本発明は、定規が無い環境や振動下の環境においても綺麗な直線を描画することを提供でき、産業に役立つものである。
【符号の説明】
【００１７】
１  ペン軸
２  キャップ
３  先軸
４  ペン芯
５  ローラー
３１  取付部
３２  傾斜面
３３  主軸取付口
３４  ペン先挿入孔
５１  主軸
Ｘ１  ペン芯端部の稜線
Ｘ２  ローラーの中心線
Ｘ３  筆記時のおけるペン芯とローラーの接線
Ｘ４  ペン軸の中心線
Ｄ    ペン芯端部の稜線とローラーの中心線との距離
θ    筆記角度
【図１】
2010247349.tif 000003
【図２】
2010247349.tif 000004
【図３】
2010247349.tif 000005
【図４】
2010247349.tif 000006
【図５】
2010247349.tif 000007
【図６】
2010247349.tif 000008
【図７】
2010247349.tif 000009
【図８】
2010247349.tif 000010
【図９】
2010247349.tif 000011